(57)【要約】【課題】起動時間を短縮でき、利便性の向上が図れるプロジェクタを提供する。【解決手段】プロジェクタ１の主制御部２６１は、光源ランプ２４１１を駆動制御する光源制御部２６１４を備える。光源制御部２６１４は、シャッタ２２が開状態であると認識された場合に、光源ランプ２４１１を即時点灯させ、プロジェクタ本体２は、光源ランプ２４１１が即時点灯された直後、記録媒体が画像情報を含む場合に、画像情報に基づく画像光を拡大投射し、光源制御部２６１４はさらに、シャッタ２２が閉状態であると認識された場合であって、記録媒体が画像情報を含む場合に、光源ランプ２４１１を即時点灯させてから、シャッタ２２の閉状態が所定の時間以上経過した場合に、光源ランプ２４１１を消灯させる。【選択図】図２
2011061819.tif 000002
【特許請求の範囲】
【請求項１】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタであって、
当該プロジェクタの外装筐体には、前記画像光を通過させるための光束通過用開口部が形成され、
前記光束通過用開口部を閉塞可能とする遮蔽部材と、
当該プロジェクタ全体を制御する制御手段とを備え、
前記制御手段は、
当該プロジェクタの電源をオンする旨の起動情報を取得する起動情報取得部と、
前記起動情報取得部にて前記起動情報が取得された直後、前記光束通過用開口部が前記遮蔽部材にて閉塞されているか否かを認識する閉塞状態認識部と、
前記記録媒体の種類を判別する媒体判別部と、
前記閉塞状態認識部による認識結果と、前記媒体判別部による判別結果とに応じて、前記光源を駆動制御する光源制御部とを備え、
前記光源制御部は、
前記閉塞状態認識部にて前記遮蔽部材により前記光束通過用開口部が閉塞されていない状態であると認識された場合に、前記光源を即時点灯させ、
前記プロジェクタ本体は、
前記光源が即時点灯された直後、前記媒体判別部にて、前記記録媒体が前記画像情報を含む記録媒体であると判別された場合に、前記画像情報に基づく画像光を拡大投射し、
前記光源制御部はさらに、
前記閉塞状態認識部にて前記遮蔽部材により前記光束通過用開口部が閉塞されている状態であると認識された場合であって、前記媒体判別部にて前記記録媒体が前記画像情報を含む記録媒体であると判別された場合に、前記光源を即時点灯させてから、前記光束通過用開口部が閉塞されている状態が所定の時間以上経過した場合に、前記光源を消灯させる
ことを特徴とするプロジェクタ。
【請求項２】
請求項１に記載のプロジェクタにおいて、
前記光源制御部は、
前記光源が点灯された直後、前記媒体判別部にて前記記録媒体がオーディオ専用の記録媒体であると判別された場合に、前記光源を消灯させる
ことを特徴とするプロジェクタ。
【請求項３】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御方法であって、
前記プロジェクタの制御手段が、
前記プロジェクタの電源をオンする旨の起動情報を取得する起動情報取得ステップと、
前記起動情報取得ステップにて前記起動情報が取得された直後、前記プロジェクタの外装筐体に形成され、前記画像光を通過させるための光束通過用開口部が遮蔽部材にて閉塞されているか否かを認識する閉塞状態認識ステップと、
前記閉塞状態認識ステップにて前記遮蔽部材により前記光束通過用開口部が閉塞されていない状態であると認識した場合に、前記光源を即時点灯させる第１光源制御ステップと、
前記再生装置に装填された前記記録媒体の種類を判別する媒体判別ステップと、
前記光源が点灯された直後、前記媒体判別ステップにて前記記録媒体が前記画像情報を含む記録媒体であると判別された場合に、前記画像情報に基づく画像光を拡大投射させる映像再生ステップと、
前記閉塞状態認識ステップにて前記遮蔽部材により前記光束通過用開口部が閉塞されている状態であると認識された場合であって、前記媒体判別ステップにて前記記録媒体が前記画像情報を含む記録媒体であると判別された場合に、前記光源を即時点灯させてから、前記光束通過用開口部が閉塞されている状態が所定の時間以上経過した場合に、前記光源を消灯させる第２光源制御ステップとを実行する
ことを特徴とする制御方法。
【請求項４】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御プログラムであって、
請求項３に記載の制御方法を前記プロジェクタの制御手段に実行させる
ことを特徴とする制御プログラム。
【請求項５】
請求項４に記載の制御プログラムがコンピュータに読取可能に記録されていることを特徴とする制御プログラムを記録した記録媒体。
【発明の詳細な説明】
【技術分野】
【０００１】
本発明は、プロジェクタ、制御方法、制御プログラム、および記録媒体に関する。
【背景技術】
【０００２】
従来、光源から射出された光束を画像情報に応じて変調して画像光を形成し拡大投射するプロジェクタ本体と、記録媒体を装填可能とし記録媒体に記録された情報を再生する再生装置とが一体的に設けられたプロジェクタが知られている（例えば、特許文献１参照）。
また、従来、再生装置においては、装填された記録媒体の種類を判別する種々の技術が提案されている（例えば、特許文献２参照）。例えば、特許文献２では、装填されたＣＤ(Compact Disk)やＤＶＤ(Digital Versatile Disk)の光ディスクの種類を判別する技術が開示されている。
【０００３】
ところで、特許文献１に記載のプロジェクタでは、装填された記録媒体がオーディオ専用の記録媒体（例えば、Audio CD等）である場合には、記録媒体に記録された情報の再生時において、音声データのみの再生となるため、画像（画像光）を形成するための光源の点灯は不要となる。
ここで、例えば、特許文献１に記載のプロジェクタに特許文献２に記載の技術を用いれば、装填された記録媒体の種類を判別し、装填された記録媒体がオーディオ専用の記録媒体であれば光源の点灯を行わず、オーディオ専用ではない画像データを含む記録媒体（例えば、DVD Video等）である場合のみに光源を点灯させることができる。
【先行技術文献】
【特許文献】
【０００４】
【特許文献１】特開２００６−７２０３７号公報
【特許文献２】特開平９−２０４７２８号公報
【発明の概要】
【発明が解決しようとする課題】
【０００５】
しかしながら、上述した構成において、例えば、利用者が画像データを含む記録媒体を再生装置に装填し、プロジェクタを起動（電源オン）した場合には、記録媒体が画像データを含む記録媒体であると判別した後に、光源を点灯させることとなる。すなわち、プロジェクタを起動してから画像が形成されるまでに時間が掛かり、利便性の向上が図れない、という問題がある。
このため、プロジェクタの起動時間を短縮でき、利便性の向上が図れる技術が要望されている。
【０００６】
本発明の目的は、起動時間を短縮でき、利便性の向上が図れるプロジェクタ、制御方法、制御プログラム、および記録媒体を提供することにある。
【課題を解決するための手段】
【０００７】
本発明のプロジェクタは、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタであって、当該プロジェクタの外装筐体には、前記画像光を通過させるための光束通過用開口部が形成され、前記光束通過用開口部を閉塞可能とする遮蔽部材と、当該プロジェクタ全体を制御する制御手段とを備え、前記制御手段は、当該プロジェクタの電源をオンする旨の起動情報を取得する起動情報取得部と、前記起動情報取得部にて前記起動情報が取得された直後、前記光束通過用開口部が前記遮蔽部材にて閉塞されているか否かを認識する閉塞状態認識部と、前記記録媒体の種類を判別する媒体判別部と、前記閉塞状態認識部による認識結果と、前記媒体判別部による判別結果とに応じて、前記光源を駆動制御する光源制御部とを備え、前記光源制御部は、前記閉塞状態認識部にて前記遮蔽部材により前記光束通過用開口部が閉塞されていない状態であると認識された場合に、前記光源を即時点灯させ、前記プロジェクタ本体は、前記光源が即時点灯された直後、前記媒体判別部にて、前記記録媒体が前記画像情報を含む記録媒体であると判別された場合に、前記画像情報に基づく画像光を拡大投射し、前記光源制御部はさらに、前記閉塞状態認識部にて前記遮蔽部材により前記光束通過用開口部が閉塞されている状態であると認識された場合であって、前記媒体判別部にて前記記録媒体が前記画像情報を含む記録媒体であると判別された場合に、前記光源を即時点灯させてから、前記光束通過用開口部が閉塞されている状態が所定の時間以上経過した場合に、前記光源を消灯させることを特徴とする。
【０００８】
ここで、記録媒体としては、ＣＤ、ＤＶＤ、ＭＯ(Magneto Optical Disk)等のディスク状の記録媒体や、メモリカード等のカード状の記録媒体等、種々の記録媒体が例示できる。
本発明では、プロジェクタを構成する制御手段は、起動情報取得部と、閉塞状態認識部と、媒体判別部と、光源制御部とを備えているので、以下に示すように、プロジェクタを起動できる。
起動情報取得部は、例えば、プロジェクタに備えられた操作部が利用者に操作され、プロジェクタを起動する（電源をオンする）旨の入力操作が実施された場合に、操作部からの操作信号からプロジェクタを起動する旨の起動情報を取得する（起動情報取得ステップ）。
閉塞状態認識部は、例えば、遮蔽部材の位置を検出する位置検出部からの信号に基づいて、光束通過用開口部が遮蔽部材にて閉塞されているか否かを認識する（閉塞状態認識ステップ）。
媒体判別部は、例えば、再生装置に装填された記録媒体のリードイン領域の情報（管理情報）や、記録媒体に記録された情報のフォルダ構成（フォーマット）等を読み取り、記録媒体の種類（オーディオ専用の記録媒体であるか、あるいは画像データを含む記録媒体であるか）を判別する（媒体判別ステップ）。
光源制御部は、起動情報取得部にて起動情報が取得された後、閉塞状態認識部による認識結果、および媒体判別部による判別結果に応じて、光源を駆動制御する（光源駆動制御ステップ）
【０００９】
ところで、利用者が画像データを含む記録媒体を再生装置に装填した場合には、プロジェクタ本体から前記記録媒体に記録された画像データに基づく画像光を拡大投射させるために、利用者は、通常、遮蔽部材を操作して光束通過用開口部を開放状態に設定するものである。すなわち、制御手段は、光束通過用開口部が開放状態である場合には、上記媒体判別ステップを実行することなく、記録媒体が画像データを含む記録媒体であると仮定できる。
そして、本発明では、光源制御部は、起動情報取得部にて起動情報が取得された後、閉塞状態認識部にて遮蔽部材により光束通過用開口部が閉塞されていない開放状態であると認識された場合に、光源を即時点灯させる即時点灯制御を実施する。そして、制御手段は、記録媒体に記録された情報を再生する。
【００１０】
以上の構成により、制御手段は、プロジェクタの起動時において、光束通過用開口部が遮蔽部材により閉塞されていない開放状態であると、記録媒体の種類を判別することなく、光源を即時点灯させ、記録媒体に記録された情報を再生するので、装填された記録媒体が画像データを含む記録媒体である場合、従来の構成と比較して、画像（画像光）を形成するまでの時間（プロジェクタの起動時間）を短縮でき、利便性の向上が図れる。
【００１１】
本発明のプロジェクタでは、前記光源制御部は、前記光源が点灯された直後、前記媒体判別部にて前記記録媒体がオーディオ専用の記録媒体であると判別された場合に、前記光源を消灯させることが好ましい。
ところで、上述したように、制御手段は、プロジェクタの起動時において、光束通過用開口部が開放状態であると、記録媒体の種類を判別することなく光源を即時点灯させるので、例えば、装填された記録媒体がオーディオ専用の記録媒体である場合であっても、光束通過用開口部が開放状態であると光源を即時点灯させてしまう。
本発明では、制御手段は、光源制御部にて即時点灯制御を実施した後、媒体判別部にて記録媒体の種類を判別する。そして、光源制御部は、即時点灯制御を実施した後、媒体判別部にて記録媒体がオーディオ専用の記録媒体であると判別された場合に、光源を消灯させる消灯制御を実施する。このことにより、光源を不要に点灯させることなく省電力化が図れる。
【００１２】
本発明の制御方法は、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御方法であって、前記プロジェクタの制御手段が、前記プロジェクタの電源をオンする旨の起動情報を取得する起動情報取得ステップと、前記起動情報取得ステップにて前記起動情報が取得された直後、前記プロジェクタの外装筐体に形成され、前記画像光を通過させるための光束通過用開口部が遮蔽部材にて閉塞されているか否かを認識する閉塞状態認識ステップと、前記閉塞状態認識ステップにて前記遮蔽部材により前記光束通過用開口部が閉塞されていない状態であると認識した場合に、前記光源を即時点灯させる第１光源制御ステップと、前記再生装置に装填された前記記録媒体の種類を判別する媒体判別ステップと、前記光源が点灯された直後、前記媒体判別ステップにて前記記録媒体が前記画像情報を含む記録媒体であると判別された場合に、前記画像情報に基づく画像光を拡大投射させる映像再生ステップと、前記閉塞状態認識ステップにて前記遮蔽部材により前記光束通過用開口部が閉塞されている状態であると認識された場合であって、前記媒体判別ステップにて前記記録媒体が前記画像情報を含む記録媒体であると判別された場合に、前記光源を即時点灯させてから、前記光束通過用開口部が閉塞されている状態が所定の時間以上経過した場合に、前記光源を消灯させる第２光源制御ステップとを実行することを特徴とする。
本発明の制御方法は、上述したプロジェクタによって実施されるものであるので、上述したプロジェクタと同様の作用および効果を享受できる。
【００１３】
本発明の制御プログラムは、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御プログラムであって、上述した制御方法を前記プロジェクタの制御手段に実行させることを特徴とする。
【００１４】
本発明の記録媒体は、上述した制御プログラムがコンピュータに読取可能に記録されていることを特徴とする
【００１５】
以上のような構成の制御プログラムおよび記録媒体は、上述した制御方法を実施するために利用されるので、上述した制御方法と同様の作用および効果を享受できる。
また、上述した制御プログラムを記録媒体に記録させるので、プログラムの取り扱いが容易となる。
【図面の簡単な説明】
【００１６】
【図１】本実施形態におけるプロジェクタの概略構成を模式的に示す斜視図。
【図２】前記実施形態におけるプロジェクタの構成を模式的に示すブロック図。
【図３】前記実施形態におけるプロジェクタの制御方法を説明するフローチャート。
【発明を実施するための形態】
【００１７】
以下、本発明の実施の一形態を図面に基づいて説明する。
〔プロジェクタの構成〕
図１は、プロジェクタ１の概略構成を模式的に示す斜視図である。なお、図１では、説明の便宜上、画像光の投射方向をＺ軸とし、該Ｚ軸に直交する２軸をＸ軸（水平軸）およびＹ軸（垂直軸）とする。
図２は、プロジェクタ１の構造を模式的に示すブロック図である。
プロジェクタ１は、スクリーン（図示略）上に投影画像を形成するとともに、該投影画像に応じた音声を出力する。このプロジェクタ１は、図１に示すように、プロジェクタ本体２と、再生装置３とが上下に区画され、一体的に構成されたものである。
【００１８】
再生装置３は、図１に示すように、プロジェクタ本体２に対して下方側（−Ｙ軸方向側）に配設され、略直方体状の下方側筐体３１内部にディスクドライブ３２（図２）が搭載されている。
下方側筐体３１において、前面部分（＋Ｚ軸方向側端面）には、図１に示すように、ＣＤまたはＤＶＤ等の記録媒体（以下、光ディスク）を挿入するための挿入口３１Ａを備えている。
ディスクドライブ３２は、プロジェクタ本体２と信号ケーブル等にて接続し、プロジェクタ本体２の後述する制御装置による制御により駆動する。より具体的に、ディスクドライブ３２は、挿入口３１Ａを介して挿入された光ディスクをオートローディング機構（図示略）により所定位置に搬入し、スピンドルモータ等の駆動部（図示略）により光ディスクを回転させる。そして、ディスクドライブ３２は、ピックアップ等の読取手段３２１（図２）により光ディスクに記録された再生データ（画像データ、音声データ）を読み取り、デコーダ３２２（図２）により光ディスクの記録方式に応じてデコード（伸長）し、プロジェクタ本体２に出力する。
【００１９】
プロジェクタ本体２は、光源から射出される光束を画像情報に応じて変調して画像光を形成し、形成した画像光をスクリーン（図示略）上に拡大投射する。このプロジェクタ本体２は、図１または図２に示すように、略直方体状の外装筐体としての上方側筐体２１（図１）内部に、遮蔽部材としてのシャッタ２２と、位置検出部２３（図２）と、画像投射部２４（図２）と、スピーカ２５（図２）と、制御装置２６（図２）とが搭載されている。
上方側筐体２１において、前面部分には、図１に示すように、画像投射部２４を構成する後述する投射光学装置から拡大投射された光束を通過させるための光束通過用開口部２１１が形成されている。
また、上方側筐体２１において、上面部分（＋Ｙ軸方向側端面）には、図１に示すように、プロジェクタ１の電源オン／オフ、投影画像の画質調整、音量調整、再生装置３による光ディスクの再生、停止等を実施するための複数の操作ボタン２１２Ａを有する操作パネル２１２が設けられている。そして、利用者による操作ボタン２１２Ａの押下により、操作パネル２１２から操作信号が制御装置２６に出力される。
なお、操作パネル２１２としては、プロジェクタ本体２に設ける構成に限らず、再生装置３に設けてもよく、適宜、複数の操作ボタン２１２Ａを分けてプロジェクタ本体２および再生装置３の双方に設けても構わない。
【００２０】
シャッタ２２は、図１に示すように、光束通過用開口部２１１を閉塞可能とする板状部材で構成され、上方側筐体２１の前面部分の裏面側に、光束通過用開口部２１１を閉塞する閉位置と、光束通過用開口部２１１を開放する開位置との間を移動可能に設けられる。そして、シャッタ２２は、利用者による操作により、プロジェクタ本体２から画像光を投射する際に開位置に位置付けられ（図１の仮想線の状態）、プロジェクタ本体２から画像光を投射しない場合に閉位置に位置付けられる（図１の実線の状態）。
【００２１】
位置検出部２３は、シャッタ２２の位置を検出して信号を制御装置２６に出力する。本実施形態では、位置検出部２３は、ノーマルクローズ型のリーフスイッチで構成され、通常の状態において常時、信号を制御装置２６に出力する。そして、位置検出部２３は、シャッタ２２が開位置に位置付けられた際に、シャッタ２２に当接してオープン状態となり、制御装置２６への信号の出力を停止する。
なお、位置検出部２３としては、シャッタ２２の位置を検出する構成であれば、いずれの構成でもよく、他のメカニカルスイッチや、フォトセンサ等を採用しても構わない。
【００２２】
画像投射部２４は、制御装置２６による制御の下、画像光を形成してスクリーンに拡大投射する。この画像投射部２４は、図２に示すように、光源装置２４１と、光変調装置２４２と、投射光学装置２４３等を備える。
光源装置２４１は、制御装置２６による制御の下、光束を光変調装置２４２に向けて射出する。この光源装置２４１は、図２に示すように、光源ランプ２４１１と、光源駆動部２４１２とを備える。
【００２３】
光源ランプ２４１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ(Electro Luminescence)素子、シリコン発光素子等の各種固体発光素子を採用してもよい。
光源駆動部２４１２は、制御装置２６による制御の下、所定の駆動電圧で光源ランプ２４１１を駆動する。
【００２４】
光変調装置２４２は、制御装置２６からの駆動信号に基づいて、光源ランプ２４１１から射出された光束を駆動信号に応じて画像光に変調して投射光学装置２４３に射出する。
投射光学装置２４３は、光変調装置２４２から射出された画像光をスクリーンに向けて拡大投射する。
【００２５】
制御装置２６は、ＣＰＵ(Central Processing Unit)等の制御手段としての主制御部２６１を備え、メモリ２６２に記憶された制御プログラムにしたがって所定の処理を実行し、プロジェクタ１全体を制御する。なお、以下では、制御装置２６としては、再生装置３から出力されたデータ（画像データ、音声データ）の処理機能を主に説明し、その他、外部機器から入力した信号（画像信号、音声信号）の処理機能については説明を省略している。この制御装置２６は、図２に示すように、主制御部２６１およびメモリ２６２の他、画像情報処理部２６３と、音声情報処理部２６４等を備える。
【００２６】
画像情報処理部２６３は、主制御部２６１からの制御指令にしたがって、再生装置３から出力された画像データに対して所定の処理を施し、処理を施した画像データに基づく駆動信号を光変調装置２４２に出力して、所定の画像光を光変調装置２４２に形成させる。この画像情報処理部２６３は、図２に示すように、画像データ処理部２６３１と、パネル駆動部２６３２等を備える。
画像データ処理部２６３１は、再生装置３から出力された画像データに対して、解像度を光変調装置２４２の解像度（画素数）に合わせる解像度変換処理、拡大・縮小等の画像サイズ調整処理、色相、色度、コントラスト、シャープネス、および輝度等の画質補正処理、台形歪補正処理、ガンマ補正処理等の各種の画像データ処理を実施する。なお、具体的な図示は省略したが、画像データ処理部２６３１は、上述した画像データ処理を実施する際の画像メモリを有している。前記画像メモリは、入力した画像データをバッファリングする部分であり、例えば、１画面分の画像データを全て記憶するフレームバッファや、水平方向の１ライン分の走査データを記憶するラインバッファ等を採用できる。
パネル駆動部２６３２は、画像データ処理部２６３１にて画像データ処理が施された画像データから光変調装置２４２を駆動するための駆動信号を生成し、光変調装置２４２に駆動信号を出力することで画像（画像光）を形成させる。
【００２７】
音声情報処理部２６４は、主制御部２６１からの制御指令にしたがって、再生装置３から出力された音声データに対して所定の処理を施し、音声信号をスピーカ２５に出力してスピーカ２５から音声信号に基づく音声を発生させる。この音声情報処理部２６４は、図２に示すように、再生装置３から出力された音声データをＤ／Ａ変換し、Ｄ／Ａ変換した音声信号を出力するＤ／Ａコンバータ２６４１と、Ｄ／Ａコンバータ２６４１にてＤ／Ａ変換された音声信号を増幅してスピーカ２５に出力するアンプ２６４２等を備える。
【００２８】
主制御部２６１は、メモリ２６２に記憶された制御プログラムを読み出して実行する。この主制御部２６１は、図２に示すように、起動情報取得部２６１１と、閉塞状態認識部２６１２と、媒体判別部２６１３と、光源制御部２６１４等を備える。
起動情報取得部２６１１は、プロジェクタ１を起動する旨の起動情報を取得する。例えば、起動情報取得部２６１１は、スタンバイ状態（プロジェクタ１の電源装置を構成する主電源および副電源のうち主電源がオフの状態で副電源からプロジェクタ１の一部の構成要素（例えば、制御装置２６等）にのみ電力供給されている状態）において、利用者により操作パネル２１２に電源をオンする旨の入力操作が実施され、操作パネル２１２から出力される操作信号を起動情報として取得する。なお、起動情報取得部２６１１は、図示は省略したが、利用者によりリモートコントローラに電源をオンする旨の入力操作が実施された場合も、リモートコントローラから出力される操作信号を起動情報として取得する。
【００２９】
閉塞状態認識部２６１２は、光束通過用開口部２１１がシャッタ２２にて閉塞されているか否かを認識する。本実施形態では、閉塞状態認識部２６１２は、位置検出部２３から出力される信号に基づいて、シャッタ２２が開位置に位置付けられているか、閉位置に位置付けられているかを認識する。より具体的に、上述したように位置検出部２３が通常の状態において常時、信号を制御装置２６に出力し、シャッタ２２が開位置に位置付けられた際に制御装置２６への信号の出力を停止するため、閉塞状態認識部２６１２は、位置検出部２３からの信号を入力している場合にシャッタ２２が閉位置に位置付けられていると認識し、位置検出部２３からの信号を入力していない場合にシャッタ２２が開位置に位置付けられていると認識する。
【００３０】
媒体判別部２６１３は、再生装置３に装填された光ディスクの種類（光ディスクに記録された情報）を判別する。本実施形態では、媒体判別部２６１３は、ディスクドライブ３２を駆動して、装填された光ディスクのリードイン領域の情報（管理情報）や、光ディスクに記録されたデータのフォルダ構成（フォーマット）等を読み取り、光ディスクの種類（Audio CD、DVD Audio、DVD Video等）を判別する。
光源制御部２６１４は、起動情報取得部２６１１にて起動情報が取得された後、閉塞状態認識部２６１２による認識結果、および媒体判別部２６１３による判別結果に応じて、光源駆動部２４１２に所定の制御指令を出力して光源ランプ２４１１を駆動制御する。
【００３１】
〔プロジェクタの動作〕
次に、上述したプロジェクタ１の制御方法（起動方法）を図面に基づいて説明する。
図３は、プロジェクタ１の制御方法を説明するフローチャートである。
なお、以下では、プロジェクタ１はスタンバイ状態に設定されているものとする。また、以下では、予め、再生装置３に光ディスクが装填されているものとする。
先ず、利用者により操作パネル２１２に電源をオンする旨の入力操作が実施されることで、起動情報取得部２６１１は、操作パネル２１２から出力される起動情報としての操作信号を入力する（ステップＳ１：起動情報取得ステップ）。そして、主制御部２６１は、主電源をオンさせ、主電源から全ての構成要素に電力を供給させる。
【００３２】
ステップＳ１の後、閉塞状態認識部２６１２は、位置検出部２３から出力される信号に基づいて、シャッタ２２が開位置に位置付けられているか、閉位置に位置付けられているかを認識する（ステップＳ２：閉塞状態認識ステップ）。
ステップＳ２における閉塞状態認識部２６１２の認識結果として、シャッタ２２が開位置に位置付けられていると認識された場合（ステップＳ３）には、媒体判別部２６１３が光ディスクの種類を判別することなく、光源制御部２６１４が光源駆動部２４１２に所定の制御指令を出力して光源ランプ２４１１を即時点灯させる即時点灯制御を実施する（ステップＳ４：光源制御ステップ）。
【００３３】
ステップＳ４の後、媒体判別部２６１３は、再生装置３に装填された光ディスクの種類を判別する（ステップＳ５：媒体判別ステップ）。
ステップＳ５における媒体判別部２６１３の判別結果として、光ディスクの種類がオーディオ専用の光ディスク（Audio CD、DVD Audio等）であると判別された場合（ステップＳ６）には、光源制御部２６１４が光源駆動部２４１２に所定の制御指令を出力して光源ランプ２４１１を消灯させる消灯制御を実施する（ステップＳ７：光源制御ステップ）。
【００３４】
ステップＳ７の後、主制御部２６１は、ディスクドライブ３２を駆動して、装填された光ディスク（Audio CD、DVD Audio等）の音声データを順次、出力させる。そして、主制御部２６１は、音声情報処理部２６４に所定の制御指令を出力し、ディスクドライブ３２から順次、出力される音声データを音声情報処理部２６４に処理させ、スピーカ２５から音声データに基づく音声を発生させる（ステップＳ８）。
【００３５】
一方、ステップＳ５における媒体判別部２６１３の判別結果として、光ディスクの種類が画像データを含む光ディスク（DVD Video等）であると判別された場合（ステップＳ６）には、主制御部２６１は、以下の処理を実行する（ステップＳ９）。
すなわち、主制御部２６１は、ディスクドライブ３２を駆動して、装填された光ディスク（DVD Video等）の画像データおよび音声データを順次、出力させる。そして、主制御部２６１は、画像情報処理部２６３に所定の制御指令を出力し、ディスクドライブ３２から順次、出力される画像データを画像情報処理部２６３に処理させ、画像投射部２４からスクリーン上に画像データに基づく画像光を拡大投射させる（映像再生）。また、主制御部２６１は、上記映像再生と同時に、ステップＳ８と同様の音声再生を実施する。
【００３６】
また、ステップＳ２に戻って、ステップＳ２における閉塞状態認識部２６１２の認識結果として、シャッタ２２が開位置に位置付けられておらず閉位置に位置付けられていると認識された場合（ステップＳ３）には、媒体判別部２６１３は、ステップＳ５と同様に、再生装置３に装填された光ディスクの種類を判別する（ステップＳ１０：媒体判別ステップ）。
ステップＳ１０における媒体判別部２６１３の判別結果として、光ディスクの種類がオーディオ専用の光ディスク（Audio CD、DVD Audio等）であると判別された場合（ステップＳ１１）には、主制御部２６１は、ステップＳ８に移行し、光ディスク（Audio CD、DVD Audio等）の音声データを再生する。
【００３７】
一方、ステップＳ１０における媒体判別部２６１３の判別結果として、光ディスクの種類が画像データを含む光ディスク（DVD Video等）であると判別された場合（ステップＳ１１）には、光源制御部２６１４は、光源駆動部２４１２に所定の制御指令を出力して、光源ランプ２４１１を点灯させる（ステップＳ１２：光源制御ステップ）。
ステップＳ１２の後、閉塞状態認識部２６１２は、位置検出部２３から出力される信号に基づいて、シャッタ２２が開位置に位置付けられているか、閉位置に位置付けられているかを再度、認識する（ステップＳ１３：閉塞状態認識ステップ）。
【００３８】
ステップＳ１３における閉塞状態認識部２６１２の認識結果として、シャッタ２２が開位置に位置付けられていると認識された場合（ステップＳ１４）、すなわち、プロジェクタ１の起動時（ステップＳ１）においてシャッタ２２が閉位置に位置付けられていた（ステップＳ３）が利用者によるシャッタ２２の操作によりシャッタ２２が開位置に位置付けられた場合には、主制御部２６１は、ステップＳ９に移行し、光ディスク（DVD Video等）の画像データおよび音声データを再生する。
【００３９】
一方、ステップＳ１３における閉塞状態認識部２６１２の認識結果として、シャッタ２２が閉位置に位置付けられていると認識された場合（ステップＳ１４）、すなわち、プロジェクタ１の起動時からシャッタ２２が閉位置に位置付けられたままである場合には、主制御部２６１は、以下の制御を実施する。
すなわち、主制御部２６１は、ステップＳ１２において光源ランプ２４１１を点灯させてからの時間が例えばメモリ２６２に記憶された設定時間を超えたか否かを判定する（ステップＳ１５）。
【００４０】
ステップＳ１５において、「Ｙ」と判定された場合には、光源制御部２６１４は、光源駆動部２４１２に所定の制御指令を出力して、光源ランプ２４１１を消灯させる（ステップＳ１６：光源制御ステップ）。なお、ステップＳ１６の後、主制御部２６１の処理としては、光ディスク（DVD Video等）の画像データおよび音声データを再生しない処理としてもよく、あるいは、光ディスク（DVD Video等）の音声データのみを再生する処理としてもよい。
一方、ステップＳ１５において、主制御部２６１は、「Ｎ」と判定した場合には、再度、ステップＳ１３に移行し、シャッタ２２が開位置に位置付けられたか否かを判定する。
すなわち、ステップＳ１３〜Ｓ１５の処理により、主制御部２６１は、ステップＳ１２における光源ランプ２４１１の点灯により、閉位置に位置付けられたシャッタ２２が光源ランプ２４１１からの光束の照射により熱劣化することを回避する処理を実施している。
【００４１】
上述した実施形態によれば、以下の効果がある。
本実施形態では、プロジェクタ１を構成する主制御部２６１は、起動情報取得部２６１１と、閉塞状態認識部２６１２と、媒体判別部２６１３と、光源制御部２６１４とを備える。そして、主制御部２６１は、利用者が画像データを含む光ディスク（DVD Video等）を再生装置３に装填した場合にはプロジェクタ本体２から光ディスクに記録された画像データに基づく画像光を拡大投射させるために通常、シャッタ２２を操作して光束通過用開口部２１１を開放状態に設定することを利用して、プロジェクタ１の起動時において、光束通過用開口部２１１が開放状態であると、光ディスクの種類を判別することなく、光源ランプ２４１１を即時点灯させる。このことにより、装填された光ディスクが画像データを含む光ディスクである場合、従来の構成と比較して、画像（画像光）を形成するまでの時間（プロジェクタ１の起動時間）を短縮でき、利便性の向上が図れる。
【００４２】
ところで、主制御部２６１は、プロジェクタ１の起動時において、光束通過用開口部２１１が開放状態であると、光ディスクの種類を判別することなく光源ランプ２４１１を即時点灯させるので、装填された光ディスクがオーディオ専用の光ディスク(Audio CD、DVD Audio等)である場合であっても、光束通過用開口部２１１が開放状態であると光源ランプ２４１１を即時点灯させてしまう。
本実施形態では、主制御部２６１は、光源制御部２６１４にて即時点灯制御を実施した後、媒体判別部２６１３にて光ディスクの種類を判別する。そして、光源制御部２６１４は、即時点灯制御を実施した後、媒体判別部２６１３にて光ディスクがオーディオ専用の光ディスクであると判別された場合に、光源ランプ２４１１を消灯させる消灯制御を実施する。このことにより、光源ランプ２４１１を不要に点灯させることなく省電力化が図れる。
【００４３】
なお、本発明は前述の実施形態に限定されるものではなく、本発明の目的を達成できる範囲での変形、改良等は本発明に含まれるものである。
前記実施形態では、記録媒体として、ＣＤ、ＤＶＤ等の光ディスクを採用していたが、これに限らず、ＭＯや、メモリカード等のカード状の記録媒体等を採用しても構わない。
前記実施形態では、遮蔽部材として、シャッタ２２を採用していたが、これに限らず、光束通過用開口部２１１周縁部に着脱自在とする蓋部材を採用しても構わない。
【００４４】
前記実施形態では、閉塞状態認識部２６１２は、位置検出部２３から出力される信号に基づいて、シャッタ２２が開位置に位置付けられているか、閉位置に位置付けられているかを認識していたが、これに限らない。
例えば、閉塞状態認識部としては、操作パネル２１２等に、シャッタ２２を開位置に位置付けた旨の入力ボタンや、閉位置に位置付けた旨の入力ボタンを設け、操作パネル２１２からの操作信号に基づいて、シャッタ２２が開位置に位置付けられているか、閉位置に位置付けられているかを認識する構成としても構わない。
【００４５】
前記実施形態では、媒体判別部２６１３は、ディスクドライブ３２を駆動して、装填された光ディスクのリードイン領域の情報（管理情報）や、光ディスクに記録されたデータのフォルダ構成（フォーマット）等を読み取り、光ディスクの種類を判別していたが、これに限らない。
例えば、媒体判別部としては、オーディオ専用の光ディスク（ＣＤ）と画像データを含む光ディスク（ＤＶＤ）とで厚みが異なることを利用して、光学的にまたは機械的に光ディスクの厚みを検出する機構を設け、該機構から出力される信号に基づいて、光ディスクの種類を判別する構成としても構わない。
また、例えば、媒体判別部としては、操作パネル２１２等に、オーディオ専用の光ディスクを装填した旨の入力ボタンや、画像データを含む光ディスクを装填した旨の入力ボタンを設け、操作パネル２１２からの操作信号に基づいて、光ディスクの種類を判別する構成としても構わない。
【００４６】
前記実施形態では、主制御部２６１は、プロジェクタ１の起動時において、シャッタ２２が閉位置に位置付けられていると、光ディスクの種類を判別し、光ディスクがオーディオ専用の光ディスクであった場合に、光ディスクに記憶された音声データの再生を実施していたが、これに限らない。
例えば、主制御部としては、利用者がオーディオ専用の光ディスクを再生装置３に装填した場合にはプロジェクタ本体２からの画像光の投射が不要であるために通常、シャッタ２２を操作して光束通過用開口部２１１を閉塞状態に設定することを利用して、プロジェクタ１の起動時において、シャッタ２２が閉位置に位置付けられていると、光ディスクの種類を判別することなく、光ディスクに記憶された音声データの再生を即時実施する構成としても構わない。
【００４７】
前記実施形態での光変調装置２４２としては、透過型の液晶パネル、反射型の液晶パネル、あるいは、ＤＭＤ(Digital Micromirror Device)(米国テキサスインスツルメント社の商標)等を採用してもよい。
【産業上の利用可能性】
【００４８】
本発明のプロジェクタは、起動時間を短縮でき、利便性の向上が図れるため、プレゼンテーションやホームシアタに用いられるプロジェクタとして利用できる。
【符号の説明】
【００４９】
１…プロジェクタ、２…プロジェクタ本体、３…再生装置、２１…上方側筐体（外装筐体）、２２…シャッタ（遮蔽部材）、２１１…光束通過用開口部、２６１…主制御部（制御手段）、２４１１…光源ランプ、２６１１…起動情報取得部、２６１２…閉塞状態認識部、２６１３…媒体判別部、２６１４…光源制御部、Ｓ１…起動情報取得ステップ、Ｓ２，Ｓ１３…閉塞状態認識ステップ、Ｓ５，Ｓ１０…媒体判別ステップ、Ｓ４，Ｓ７，Ｓ１２，Ｓ１６…光源制御ステップ。
【図１】
2011061819.tif 000003
【図２】
2011061819.tif 000004
【図３】
2011061819.tif 000005
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタであって、
前記画像光を通過させるための光束通過用開口部と、
前記光束通過用開口部を閉塞可能とする遮蔽部材と、
当該プロジェクタ全体を制御する制御手段とを備え、
前記制御手段は、
前記光束通過用開口部が前記遮蔽部材にて閉塞されているか否かを認識する閉塞状態認識部と、
前記記録媒体の種類を判別する媒体判別部と、
当該プロジェクタの電源がオンになった場合に、前記閉塞状態認識部にて前記遮蔽部材により前記光束通過用開口部が閉塞されている状態であると認識されるとともに、前記媒体判別部にて前記記録媒体が前記画像情報を含む記録媒体であると判別された場合に、前記光源を点灯させてから、前記光束通過用開口部が閉塞されている状態が所定の時間以上経過した場合に、前記光源を消灯させる光源制御部とを備える
ことを特徴とするプロジェクタ。
【請求項２】
請求項１に記載のプロジェクタにおいて、
前記光源制御部は、
当該プロジェクタの電源がオンになった場合に、前記閉塞状態認識部にて前記遮蔽部材により前記光束通過用開口部が閉塞されていない状態であると認識されると、前記光源を点灯させた後、前記媒体判別部にて前記記録媒体が前記画像情報を含まない記録媒体であると判別された場合に、前記光源を消灯させる
ことを特徴とするプロジェクタ。
【請求項３】
請求項１に記載のプロジェクタにおいて、
前記光源制御部は、
前記閉塞状態認識部にて前記遮蔽部材により前記光束通過用開口部が閉塞されていない状態であると認識された場合に、前記光源の点灯を維持し、
前記プロジェクタ本体は、前記画像情報に基づく画像光を拡大投射する
ことを特徴とするプロジェクタ。
【請求項４】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御方法であって、
前記プロジェクタの制御手段が、
前記画像光を通過させるための光束通過用開口部が遮蔽部材にて閉塞されているか否かを認識する閉塞状態認識ステップと、
前記記録媒体の種類を判別する媒体判別ステップと、
当該プロジェクタの電源がオンになった場合に、前記閉塞状態認識ステップにて前記遮蔽部材により前記光束通過用開口部が閉塞されている状態であると認識されるとともに、前記媒体判別ステップにて前記記録媒体が前記画像情報を含む記録媒体であると判別された場合に、前記光源を点灯させてから、前記光束通過用開口部が閉塞されている状態が所定の時間以上経過した場合に、前記光源を消灯させる光源制御ステップとを実行する
ことを特徴とする制御方法。
【請求項５】
光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御プログラムであって、
請求項４に記載の制御方法を前記プロジェクタの制御手段に実行させる
ことを特徴とする制御プログラム。
【請求項６】
請求項５に記載の制御プログラムがコンピュータに読取可能に記録されていることを特徴とする制御プログラムを記録した記録媒体。
【手続補正２】
【補正対象書類名】明細書
【補正対象項目名】０００７
【補正方法】変更
【補正の内容】
【０００７】
本発明のプロジェクタは、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタであって、前記画像光を通過させるための光束通過用開口部と、前記光束通過用開口部を閉塞可能とする遮蔽部材と、前記光束通過用開口部が前記遮蔽部材にて閉塞されているか否かを認識する閉塞状態認識部と、前記記録媒体の種類を判別する媒体判別部と、当該プロジェクタの電源がオンになった場合に、前記閉塞状態認識部にて前記遮蔽部材により前記光束通過用開口部が閉塞されている状態であると認識されるとともに、前記媒体判別部にて前記記録媒体が前記画像情報を含む記録媒体であると判別された場合に、前記光源を点灯させた後、前記光束通過用開口部が閉塞されている状態が所定の時間以上経過した場合に、前記光源を消灯させる光源制御部とを備えることを特徴とする。
本発明の関連技術のプロジェクタは、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタであって、当該プロジェクタの外装筐体には、前記画像光を通過させるための光束通過用開口部が形成され、前記光束通過用開口部を閉塞可能とする遮蔽部材と、当該プロジェクタ全体を制御する制御手段とを備え、前記制御手段は、当該プロジェクタの電源をオンする旨の起動情報を取得する起動情報取得部と、前記起動情報取得部にて前記起動情報が取得された直後、前記光束通過用開口部が前記遮蔽部材にて閉塞されているか否かを認識する閉塞状態認識部と、前記記録媒体の種類を判別する媒体判別部と、前記閉塞状態認識部による認識結果と、前記媒体判別部による判別結果とに応じて、前記光源を駆動制御する光源制御部とを備え、前記光源制御部は、前記閉塞状態認識部にて前記遮蔽部材により前記光束通過用開口部が閉塞されていない状態であると認識された場合に、前記光源を即時点灯させ、前記プロジェクタ本体は、前記光源が即時点灯された直後、前記媒体判別部にて、前記記録媒体が前記画像情報を含む記録媒体であると判別された場合に、前記画像情報に基づく画像光を拡大投射し、前記光源制御部はさらに、前記閉塞状態認識部にて前記遮蔽部材により前記光束通過用開口部が閉塞されている状態であると認識された場合であって、前記媒体判別部にて前記記録媒体が前記画像情報を含む記録媒体であると判別された場合に、前記光源を即時点灯させてから、前記光束通過用開口部が閉塞されている状態が所定の時間以上経過した場合に、前記光源を消灯させることを特徴とする。
【手続補正３】
【補正対象書類名】明細書
【補正対象項目名】００１１
【補正方法】変更
【補正の内容】
【００１１】
本発明のプロジェクタでは、当該プロジェクタの電源がオンになった場合に、前記光源制御部は、前記閉塞状態認識部にて前記遮蔽部材により前記光束通過用開口部が閉塞されていない状態であると認識されると、前記光源を点灯させた後、前記媒体判別部にて前記記録媒体が前記画像情報を含まない記録媒体であると判別された場合に、前記光源を消灯させることが好ましい。
本発明のプロジェクタでは、前記光源制御部は、前記閉塞状態認識部にて前記遮蔽部材により前記光束通過用開口部が閉塞されていない状態であると認識された場合に、前記光源の点灯を維持し、前記プロジェクタ本体は、前記画像情報に基づく画像光を拡大投射することが好ましい。
本発明の関連技術のプロジェクタでは、前記光源制御部は、前記光源が点灯された直後、前記媒体判別部にて前記記録媒体がオーディオ専用の記録媒体であると判別された場合に、前記光源を消灯させることが好ましい。
ところで、上述したように、制御手段は、プロジェクタの起動時において、光束通過用開口部が開放状態であると、記録媒体の種類を判別することなく光源を即時点灯させるので、例えば、装填された記録媒体がオーディオ専用の記録媒体である場合であっても、光束通過用開口部が開放状態であると光源を即時点灯させてしまう。
本発明では、制御手段は、光源制御部にて即時点灯制御を実施した後、媒体判別部にて記録媒体の種類を判別する。そして、光源制御部は、即時点灯制御を実施した後、媒体判別部にて記録媒体がオーディオ専用の記録媒体であると判別された場合に、光源を消灯させる消灯制御を実施する。このことにより、光源を不要に点灯させることなく省電力化が図れる。
【手続補正４】
【補正対象書類名】明細書
【補正対象項目名】００１２
【補正方法】変更
【補正の内容】
【００１２】
本発明の制御方法は、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御方法であって、前記プロジェクタの制御手段が、前記画像光を通過させるための光束通過用開口部が遮蔽部材にて閉塞されているか否かを認識する閉塞状態認識ステップと、前記記録媒体の種類を判別する媒体判別ステップと、当該プロジェクタの電源がオンになった場合に、前記閉塞状態認識ステップにて前記遮蔽部材により前記光束通過用開口部が閉塞されている状態であると認識されるとともに、前記媒体判別ステップにて前記記録媒体が前記画像情報を含む記録媒体であると判別された場合に、前記光源を点灯させた後、前記光束通過用開口部が閉塞されている状態が所定の時間以上経過した場合に、前記光源を消灯させる光源制御ステップとを実行することを特徴とする。
本発明の関連技術の制御方法は、光源から射出された光束を画像情報に応じて変調して画像光を形成し拡大投射するプロジェクタ本体と、記録媒体を装填可能とし前記記録媒体に記録された情報を再生する再生装置とが一体的に設けられたプロジェクタの制御方法であって、前記プロジェクタの制御手段が、前記プロジェクタの電源をオンする旨の起動情報を取得する起動情報取得ステップと、前記起動情報取得ステップにて前記起動情報が取得された直後、前記プロジェクタの外装筐体に形成され、前記画像光を通過させるための光束通過用開口部が遮蔽部材にて閉塞されているか否かを認識する閉塞状態認識ステップと、前記閉塞状態認識ステップにて前記遮蔽部材により前記光束通過用開口部が閉塞されていない状態であると認識した場合に、前記光源を即時点灯させる第１光源制御ステップと、前記再生装置に装填された前記記録媒体の種類を判別する媒体判別ステップと、前記光源が点灯された直後、前記媒体判別ステップにて前記記録媒体が前記画像情報を含む記録媒体であると判別された場合に、前記画像情報に基づく画像光を拡大投射させる映像再生ステップと、前記閉塞状態認識ステップにて前記遮蔽部材により前記光束通過用開口部が閉塞されている状態であると認識された場合であって、前記媒体判別ステップにて前記記録媒体が前記画像情報を含む記録媒体であると判別された場合に、前記光源を即時点灯させてから、前記光束通過用開口部が閉塞されている状態が所定の時間以上経過した場合に、前記光源を消灯させる第２光源制御ステップとを実行することを特徴とする。
本発明の制御方法は、上述したプロジェクタによって実施されるものであるので、上述したプロジェクタと同様の作用および効果を享受できる。